(57)【要約】【課題】ディスク装置の生産コストを低減することを目的とする。【解決手段】ローディング駆動信号部１８からの信号で搬送モータ６を駆動させるための出力端子２０が、ディスク１のローディング（搬送、または排出）時以外は、遊休端子となるのを利用し、切替信号部２３によるスイッチ１６、１９の切替えによって、サーボモニタ信号部２２を、スイッチ１９、出力端子２０を介してサーボモニタ端子２１に接続することによって、動作確認を行うことが出来るようにしたものである。【選択図】図１
2012164377.tif 000002
【特許請求の範囲】
【請求項１】
ディスクを回転駆動するディスク駆動モータと、前記ディスクへの信号書き込みと、このディスクから信号の読み取りの少なくとも一方を行う光ピックアップと、この光ピックアップのトラバース駆動、および前記ディスク駆動モータ部分への前記ディスクの搬送、または前記ディスク駆動モータ部分からのディスクの排出を行う搬送モータと、前記ディスク駆動モータ、搬送モータ、および前記光ピックアップのトラッキング駆動部、フォーカス駆動部の駆動を行うモータドライバと、このモータドライバの制御を行う制御部とを備え、前記制御部は、前記フォーカス駆動部の制御を行うフォーカス駆動信号部と、前記トラッキング駆動部の制御を行うトラッキング駆動信号部と、前記ディスク駆動モータの制御を行うディスク駆動信号部と、前記搬送モータのトラバース駆動制御を行うトラバース駆動信号部と、前記搬送モータのディスク搬送、またはディスク排出制御を行うローディング駆動信号部と、前記搬送モータのトラバース駆動とディスク搬送、またはディスク排出とを切替える切替信号部と、サーボモニタ信号部とを有し、前記ローディング駆動信号部とサーボモニタ信号部の出力側は、第一のスイッチの入力側に選択的に接続される構成とし、この第一のスイッチの出力側は出力端子に接続し、この出力端子には、サーボモニタ端子と、第二のスイッチの第一の切替入力側に接続し、前記第二のスイッチの第二の切替入力側には前記トラバース駆動信号部を接続し、前記第二のスイッチの出力側には前記搬送モータを接続し、前記第一のスイッチと第二のスイッチは、前記切替信号部からの信号によって切替える構成としたディスク装置。
【請求項２】
前記切替信号部による切替え前の状態では、ローディング駆動信号部は、第一のスイッチ、出力端子、第二のスイッチを介して搬送モータに接続した請求項１に記載のディスク装置。
【請求項３】
前記切替信号部による第一のスイッチ、第二のスイッチの切替えによって、サーボモニタ信号部を、第一のスイッチ、出力端子を介してサーボモニタ端子に接続すし、かつトラバース駆動信号部を、第二のスイッチを介して搬送モータに接続する構成とした請求項２に記載のディスク装置。
【請求項４】
前記制御部は、半導体集積素子によって構成した請求項１から３のいずれか一つに記載のディスク装置。
【発明の詳細な説明】
【技術分野】
【０００１】
本発明は、ディスクを回転駆動するディスク装置に関するものである。
【背景技術】
【０００２】
従来のこの種、ディスク装置の構成は、以下のようになっていた。
【０００３】
すなわち、ディスクを回転駆動するディスク駆動モータと、前記ディスクへの信号書き込みと、このディスクから信号の読み取りの少なくとも一方を行う光ピックアップと、この光ピックアップのトラバース駆動、および前記ディスク駆動モータ部分への前記ディスクの搬送、または前記ディスク駆動モータ部分からのディスクの排出を行う搬送モータと、前記ディスク駆動モータ、搬送モータ、および前記光ピックアップのトラッキング駆動部、フォーカス駆動部の駆動を行うモータドライバと、このモータドライバの制御を行う制御部とを備えた構成となっていた。
【０００４】
また、前記制御部には、動作確認をするために活用する外部検出ポートを設けており、ここに検査用機器を接続するようになっている（たとえば、下記特許文献１）。
【先行技術文献】
【特許文献】
【０００５】
【特許文献１】特開２００６−３３８１４１号公報
【発明の概要】
【発明が解決しようとする課題】
【０００６】
前記従来例における課題は、生産コストが高くなるということであった。
【０００７】
すなわち、前記制御部は、半導体制御素子によって構成されているのであるが、上述したように検査用の外部検出ポートを別途設けることにすると、この制御部としての価格が高価なものとなり、その結果として上述したように生産コストが高くなってしまうのであった。
【０００８】
そこで、本発明は生産コストを低下させることを目的とするものである。
【課題を解決するための手段】
【０００９】
そしてこの目的を達成するために本発明は、ディスクを回転駆動するディスク駆動モータと、前記ディスクへの信号書き込みと、このディスクから信号の読み取りの少なくとも一方を行う光ピックアップと、この光ピックアップのトラバース駆動、および前記ディスク駆動モータ部分への前記ディスクの搬送、または前記ディスク駆動モータ部分からのディスクの排出を行う搬送モータと、前記ディスク駆動モータ、搬送モータ、および前記光ピックアップのトラッキング駆動部、フォーカス駆動部の駆動を行うモータドライバと、このモータドライバの制御を行う制御部とを備え、前記制御部は、前記フォーカス駆動部の制御を行うフォーカス駆動信号部と、前記トラッキング駆動部の制御を行うトラッキング駆動信号部と、前記ディスク駆動モータの制御を行うディスク駆動信号部と、前記搬送モータのトラバース駆動制御を行うトラバース駆動信号部と、前記搬送モータのディスク搬送、またはディスク排出制御を行うローディング駆動信号部と、前記搬送モータのトラバース駆動とディスク搬送、またはディスク排出とを切替える切替信号部と、サーボモニタ信号部とを有し、前記ローディング駆動信号部とサーボモニタ信号部の出力側は、第一のスイッチの入力側に選択的に接続される構成とし、この第一のスイッチの出力側は出力
端子に接続し、この出力端子には、サーボモニタ端子と、第二のスイッチの第一の切替入力側に接続し、前記第二のスイッチの第二の切替入力側には前記トラバース駆動信号部を接続し、前記第二のスイッチの出力側には前記搬送モータを接続し、前記第一のスイッチと第二のスイッチは、前記切替信号部からの信号によって切替える構成とし、これにより、所期の目的を達成するものである。
【発明の効果】
【００１０】
以上のように本発明は、ディスクを回転駆動するディスク駆動モータと、前記ディスクへの信号書き込みと、このディスクから信号の読み取りの少なくとも一方を行う光ピックアップと、この光ピックアップのトラバース駆動、および前記ディスク駆動モータ部分への前記ディスクの搬送、または前記ディスク駆動モータ部分からのディスクの排出を行う搬送モータと、前記ディスク駆動モータ、搬送モータ、および前記光ピックアップのトラッキング駆動部、フォーカス駆動部の駆動を行うモータドライバと、このモータドライバの制御を行う制御部とを備え、前記制御部は、前記フォーカス駆動部の制御を行うフォーカス駆動信号部と、前記トラッキング駆動部の制御を行うトラッキング駆動信号部と、前記ディスク駆動モータの制御を行うディスク駆動信号部と、前記搬送モータのトラバース駆動制御を行うトラバース駆動信号部と、前記搬送モータのディスク搬送、またはディスク排出制御を行うローディング駆動信号部と、前記搬送モータのトラバース駆動とディスク搬送、またはディスク排出とを切替える切替信号部と、サーボモニタ信号部とを有し、前記ローディング駆動信号部とサーボモニタ信号部の出力側は、第一のスイッチの入力側に選択的に接続される構成とし、この第一のスイッチの出力側は出力端子に接続し、この出力端子には、サーボモニタ端子と、第二のスイッチの第一の切替入力側に接続し、前記第二のスイッチの第二の切替入力側には前記トラバース駆動信号部を接続し、前記第二のスイッチの出力側には前記搬送モータを接続し、前記第一のスイッチと第二のスイッチは、前記切替信号部からの信号によって切替える構成としたものであるので、生産コストを低下させることが出来る。
【００１１】
すなわち、本発明においては、前記切替信号部による切替え前の状態では、ローディング駆動信号部は、第一のスイッチ、出力端子、第二のスイッチを介して搬送モータに接続されているものを、前記切替信号部による第一のスイッチ、第二のスイッチの切替えによって、サーボモニタ信号部を、第一のスイッチ、出力端子を介してサーボモニタ端子に接続するものである。
【００１２】
つまり、ローディング駆動信号部からの信号で搬送モータを駆動させるための出力端子が、前記ディスクのローディング（搬送、または排出）時以外は、遊休端子となるのを利用し、前記切替信号部による第一のスイッチ、第二のスイッチの切替えによって、サーボモニタ信号部を、第一のスイッチ、出力端子を介してサーボモニタ端子に接続することによって、動作確認を行うことが出来るようにしたものである。
【００１３】
また、第二のスイッチを介して前記トラバース駆動信号部を搬送モータに接続することで、搬送モータをトラバース駆動するようにしたものである。
【００１４】
そして、このような構成とすることにより、前記制御部を半導体集積素子によって構成した場合でも、動作確認専用の出力端子を設ける必要が無く、その結果として制御部としての価格を安価なものが活用でき、それによって、生産コストを低下させることができるのである。
【図面の簡単な説明】
【００１５】
【図１】本発明の一実施形態のブロック図
【図２】同動作説明図
【発明を実施するための形態】
【００１６】
以下、本発明の一実施形態を、添付図面を用いて説明する。
【００１７】
（実施の形態１）
図１は、本発明の一実施形態を示し、１はディスクで、このディスク１はディスク駆動モータ２によって回転駆動されるようになっている。
【００１８】
また、前記ディスク１への信号書き込みと、このディスク１から信号の読み取りは光ピックアップ３によって行われるようになっている。
【００１９】
なお、光ピックアップ３のフォーカス制御は、フォーカス駆動部４にて行われるようになっており、またトラッキング制御はトラッキング駆動部５によって行われるようになっている。
【００２０】
さらに、前記光ピックアップ３のトラバース駆動、および前記ディスク駆動モータ２部分への前記ディスク１の搬送、または前記ディスク駆動モータ２部分からのディスク１の排出は搬送モータ６によって行われるようになっている。
【００２１】
さらにまた、前記ディスク駆動モータ２、搬送モータ６、および前記光ピックアップ３のトラッキング駆動部５、フォーカス駆動部４の駆動はモータドライバ７によって行われるようになっている。
【００２２】
また、このモータドライバ７の制御は制御部８によって行われるようになっている。
【００２３】
具体的には、制御部８内のフォーカス駆動信号部９は、モータドライバ７内の増幅器１０を介してフォーカス駆動部４に接続されている。
【００２４】
また、制御部８内のトラッキング駆動信号部１１は、モータドライバ７内の増幅器１２を介してトラッキング駆動部５に接続されている。
【００２５】
さらに、制御部８内のディスク駆動信号部１３は、モータドライバ７内の増幅器１４を介してディスク駆動モータ２に接続されている。
【００２６】
また、制御部８内のトラバース駆動信号部１５は、モータドライバ７内のスイッチ１６の端子１６ｂ、増幅器１７を介して搬送モータ６に接続されている。
【００２７】
さらに、制御部８内のローディング駆動信号部１８は、スイッチ１９の端子１９ａ、出力端子２０、モータドライバ７内のスイッチ１６の端子１６ａ、増幅器１７を介して搬送モータ６に接続されている。
【００２８】
また、出力端子２０には、制御部８、モータドライバ７外に設けたサーボモニタ端子２１が接続されている。
【００２９】
さらに、制御部８内のサーボモニタ信号部２２は、スイッチ１９の端子１９ｂ、出力端子２０、モータドライバ７内のスイッチ１６の端子１６ａ、増幅器１７を介して搬送モータ６に接続されている。
【００３０】
また、ここにおいても、出力端子２０には、制御部８、モータドライバ７外に設けたサーボモニタ端子２１が接続されている。
【００３１】
さらに、制御部８内の切替信号部２３は、スイッチ１９を端子１９ａから１９ｂに、またスイッチ１６を端子１６ａから１６ｂに切替えるものである。
【００３２】
以上の構成において、図２（ｄ）のごとく、ローディング駆動信号部１８から駆動信号が発せられると、スイッチ１９の端子１９ａ、出力端子２０、モータドライバ７内のスイッチ１６の端子１６ａ、増幅器１７を介して搬送モータ６に動作指示がなされ、その結果として、図２（ｂ）のＡ、Ｃのごとく搬送モータ６が駆動され、ディスク１がディスク駆動モータ２部に搬送、またはディスク駆動モータ２部からディスク１が排出される。
【００３３】
続いて、図２（ａ）のごとく、切替信号部２３からの切替信号（ＬからＨ）により、スイッチ１９が端子１９ａから１９ｂに、またスイッチ１６が端子１６ａから１６ｂに切替わると、図２（ｃ）のごとく、トラバース駆動信号部１５からの信号がスイッチ１６の端子１６ｂから増幅器１７に供給され、これにより図２（ｂ）のＢのごとく搬送モータ６はトラバース駆動される。
【００３４】
また、サーボモニタ信号部２２は、スイッチ１９の端子１９ｂ、出力端子２０を介してサーボモニタ端子２１に接続されているので、図２（ｅ）のサーボモニタ信号は、図２（ｆ）から理解されるように、サーボモニタ端子２１を介してモニタすることが出来る。
【００３５】
図２において特徴的なのは、（ｄ）（ｅ）のごとく、制御部８の出力端子２０は、本来、ローディング駆動信号部１８からの信号をモータドライバ７に伝える時のみ、つまりディスク１のローディング（図２（ｄ）のＡの搬送、または図２（ｄ）のＣの排出）時以外は遊休端子となるので、この出力端子２０を利用し、サーボモニタ端子２１を介してサーボモニタ信号（動作確認）が出来るようにしたことである。
【００３６】
つまり、前記制御部８は半導体集積素子によって構成されているが、本実施形態においては、動作確認専用の出力端子を設ける必要が無く、その結果として制御部８としての価格を安価なものが活用でき、それによって、生産コストを低下させることができるのである。
【産業上の利用可能性】
【００３７】
以上のように本発明は、ローディング駆動信号部からの信号で搬送モータを駆動させるための出力端子が、前記ディスクのローディング（搬送、または排出）時以外は、遊休端子となるのを利用し、前記切替信号部による第一のスイッチ、第二のスイッチの切替えによって、サーボモニタ信号部を、第一のスイッチ、出力端子を介してサーボモニタ端子に接続することによって、動作確認を行うことが出来るようにしたものである。
【００３８】
また、第二のスイッチを介して前記トラバース駆動信号部を搬送モータに接続することで、搬送モータをトラバース駆動するようにしたものである。
【００３９】
そして、このような構成とすることにより、前記制御部を半導体集積素子によって構成した場合でも、動作確認専用の出力端子を設ける必要が無く、その結果として制御部としての価格を安価なものが活用でき、それによって、生産コストを低下させることができるのである。
【００４０】
したがって、例えば、車載用のディスク装置としての活用が期待されるものとなる。
【符号の説明】
【００４１】
１  ディスク
２  ディスク駆動モータ
３  光ピックアップ
４  フォーカス駆動部
５  トラッキング駆動部
６  搬送モータ
７  モータドライバ
８  制御部
９  フォーカス駆動信号部
１０，１２，１４，１７  増幅器
１１  トラッキング駆動信号部
１３  ディスク駆動信号部
１５  トラバース駆動信号部
１６，１９  スイッチ
１６ａ、１６ｂ，１９ａ，１９ｂ  端子
１８  ローディング駆動信号部
２０  出力端子
２１  サーボモニタ端子
２２  サーボモニタ信号部
２３  切替信号部
【図１】
2012164377.tif 000003
【図２】
2012164377.tif 000004